(57)【要約】【課題】  本考案は、他の照明装置と点灯モードが異なってしまったとしても、同じ点灯モードに変更できる照明装置及び照明リモートコントロールシステムを提供する。【解決手段】  照明装置１００は、第１信号Ｓ１及び第１信号と異なる第２信号Ｓ２を受信可能な受信部１１０と、複数の点灯パターンで点灯可能な第１光源部１３０と、第２光源部１４０と、制御部１２０とを備えている。制御部１２０は、第１信号Ｓ１を受信部１１０を介して受信する度に、少なくとも第１光源部１３０を複数の点灯パターンを順次切り替えて点灯させるようになっている。また、制御部１２０は、第１光源部１３０が点灯中に第２信号Ｓ２を受信部を介して受信すると、第１光源部１３０を消灯させる一方、第２光源部１４０を同期用点灯パターンで点灯させるようになっている。【選択図】      図１
0003223902.tif 000002
【実用新案登録請求の範囲】
【請求項１】
第１信号及び前記第１信号と異なる第２信号を受信可能な受信部と、
複数の点灯パターンで点灯可能な第１光源部と、
第２光源部と、
前記第１信号を前記受信部を介して受信する度に、少なくとも前記第１光源部を前記複数の点灯パターンを順次切り替えて点灯させ、且つ、前記第１光源部が点灯中に前記第２信号を前記受信部を介して受信すると、前記第１光源部を消灯させる一方、前記第２光源部を同期用点灯パターンで点灯させる制御部とを備えた照明装置。
【請求項２】
請求項１記載の照明装置において、
前記制御部は、前記第１光源部が消灯中に前記第２信号を前記受信部を介して受信すると、前記第２光源部を前記同期用点灯パターンで点灯させる照明装置。
【請求項３】
請求項１又は２記載の照明装置において、
前記制御部は、前記第２光源部が点灯中に前記第１信号を前記受信部を介して受信すると、前記第２光源部を消灯させる一方、前記第１光源部を前記複数の点灯パターンのうちの最初の点灯パターンで点灯させる照明装置。
【請求項４】
請求項１、２又は３記載の照明装置において、
前記制御部は、前記第１光源部を前記複数の点灯パターンのうちの最後の点灯パターンで点灯させているときに、前記第１信号を前記受信部を介して受信すると、前記第１光源部を消灯させ、前記第１光源部の消灯時に前記第１信号を前記受信部を介して受信すると、前記第１光源部を前記複数の点灯パターンのうちの最初の点灯パターンで点灯させるようになっている照明装置。
【請求項５】
請求項１、２、３又は４記載の照明装置において、
前記制御部は、前記第２光源部の点灯中に前記第２信号を前記受信部を介して受信すると、前記第２光源部を消灯させる照明装置。
【請求項６】
第１信号及び前記第１信号と異なる第２信号を受信可能な受信部と、
複数の点灯パターン及び同期用点灯パターンで点灯可能な光源部と、
前記第１信号を前記受信部を介して受信する度に、少なくとも前記光源部を前記複数の点灯パターンを順次切り替えて点灯させ、且つ、前記光源部が前記複数の点灯パターンの何れかで点灯中に前記第２信号を前記受信部を介して受信すると、前記同期用点灯パターンで前記光源部を点灯させる制御部とを備えた照明装置。
【請求項７】
請求項６記載の照明装置において、
前記制御部は、前記光源部が消灯中に前記第２信号を前記受信部を介して受信すると、前記光源部を前記同期用点灯パターンで点灯させる照明装置。
【請求項８】
請求項６又は７記載の照明装置において、
前記制御部は、前記光源部が前記同期用点灯パターンで点灯中に、前記第１信号を前記受信部を介して受信すると、前記光源部を前記複数の点灯パターンのうちの最初の点灯パターンで点灯させるようになっている照明装置。
【請求項９】
請求項６、７又は８記載の照明装置において、
前記制御部は、前記光源部を前記複数の点灯パターンのうちの最後の点灯パターンで点灯させているときに、前記第１信号を前記受信部を介して受信すると、前記光源部を消灯し、前記光源部の消灯時に前記第１信号を前記受信部を介して受信すると、前記光源部を前記複数の点灯パターンのうちの最初の点灯パターンで点灯させるようになっている照明装置。
【請求項１０】
請求項６、７、８又は９記載の照明装置において、
前記制御部は、前記光源部が前記同期用点灯パターンで点灯中に、前記第２信号を前記受信部を介して受信すると、前記光源部を前記光源部を消灯させるようになっている照明装置。
【請求項１１】
請求項１〜５の何れかに記載の複数の照明装置を備えており、
前記複数の照明装置のうちの少なくとも一つの照明装置の前記第１光源部が前記複数の点灯パターンのうちの何れか一つの点灯パターンで点灯する一方、残りの照明装置の前記第１光源部が前記複数の点灯パターンのうちの前記一つの点灯パターンと異なる点灯パターンで点灯している場合において、前記複数の照明装置の前記制御部が、前記第２信号を前記受信部を介して受信すると、前記第１光源部を消灯させる一方、前記第２光源部を点灯させるようになっている照明リモートコントロールシステム。
【請求項１２】
請求項２記載の複数の照明装置を備えており、
前記複数の照明装置のうちの少なくとも一つの照明装置の前記第１光源部が消灯しており、残りの照明装置の前記第１光源部が前記複数の点灯パターンの何れかで点灯している場合において、前記少なくとも一つの照明装置の制御部が、前記第２信号を前記受信部を介して受信すると、前記第２光源部を点灯させるようになっており、前記残りの照明装置の制御部が、前記第２信号を前記受信部を介して受信すると、前記第１光源部を消灯させる一方、前記第２光源部を点灯させるようになっている照明リモートコントロールシステム。
【請求項１３】
請求項６〜１０の何れかに記載の複数の照明装置を備えており、
前記複数の照明装置のうちの少なくとも一つの照明装置の前記光源部が前記複数の点灯パターンのうちの何れか一つの点灯パターンで点灯する一方、残りの照明装置の前記光源部が前記複数の点灯パターンのうちの前記一つの点灯パターンと異なる点灯パターンで点灯している場合において、前記複数の照明装置の前記制御部が、前記第２信号を前記受信部を介して受信すると、前記光源部を前記同期用点灯パターンで点灯させるようになっている照明リモートコントロールシステム。
【請求項１４】
請求項７記載の複数の照明装置を備えており、
前記複数の照明装置のうちの少なくとも一つの照明装置の前記光源部が消灯する一方、残りの照明装置の前記光源部が前記複数の点灯パターンの何れかで点灯している場合において、前記少なくとも一つの照明装置の制御部が、前記第２信号を前記受信部を介して受信すると、前記光源部を前記同期用点灯パターンで点灯させるようになっており、前記残りの照明装置の制御部が、前記第２信号を前記受信部を介して受信すると、前記光源部を前記同期用点灯パターンで点灯させるようになっている照明リモートコントロールシステム。
【請求項１５】
請求項１１〜１４の何れかに記載の照明リモートコントロールシステムにおいて、
第１操作部及び第２操作部を有するリモコンを更に備えており、
前記リモコンは、前記第１操作部が入力操作されることによって第１信号を前記複数の照明装置に出力し、前記第２操作部が入力操作されることによって第２信号を前記複数の照明装置に出力するようになっている照明リモートコントロールシステム。
【考案の詳細な説明】
【技術分野】
【０００１】
本考案は、照明装置及び照明リモートコントロールシステムに関する。
【背景技術】
【０００２】
従来、複数の照明装置を同時に点灯させて使用されるものがある（特許文献１参照）。この照明装置は多面体であって、各面毎に設けられた光源と、制御部とを備えている。各照明装置の制御部が、各面毎の光源を同期変化する点灯効果とパターン（以下、点灯モードという。）で点灯させるようになっている。
【先行技術文献】
【特許文献】
【０００３】
【特許文献１】実用新案登録第３１０９９０３号公報
【考案の開示】
【考案が解決しようとする課題】
【０００４】
複数の照明装置のうちの少なくとも一つが、同期に失敗し、他の照明装置と点灯モードが異なってしまった場合、全ての照明装置の点灯モードを揃えることができない。
【０００５】
本考案は、他の照明装置と点灯モードが異なってしまったとしても、同じ点灯モードに変更できる照明装置及び照明リモートコントロールシステムを提供する。
【課題を解決するための手段】
【０００６】
上記課題を解決するために、本考案の一態様に係る照明装置は、第１信号及び第１信号と異なる第２信号を受信可能な受信部と、複数の点灯パターンで点灯可能な第１光源部と、第２光源部と、制御部とを備えている。制御部は、第１信号を受信部を介して受信する度に、少なくとも第１光源部を複数の点灯パターンを順次切り替えて点灯させるようになっている。また、制御部は、第１光源部が点灯中に第２信号を受信部を介して受信すると、第１光源部を消灯させる一方、第２光源部を同期用点灯パターンで点灯させるようになっている。
【０００７】
このような態様の照明装置が複数あり、その複数の照明装置の第１光源部が複数の点灯パターンの何れか一つで点灯している場合において、複数の照明装置の制御部が第１信号を受信部を介して受信すると、複数の照明装置の制御部が第１光源部を複数の点灯パターンのうちの次の点灯パターンで点灯させるが、複数の照明装置のうちの少なくとも一つの照明装置の制御部が第１信号を受信できなかった場合、少なくとも一つの照明装置の第１光源部の点灯パターン（複数の点灯パターンのうちの一つ）と残りの照明装置の第１光源部の点灯パターン（複数の点灯パターンのうちの別の一つ）とが相違することになる。しかし、複数の照明装置の制御部は、第１光源部が点灯中に第２信号を受信部を介して受信すると、第１光源部を消灯させる一方、第２光源部を同期用点灯パターンで点灯させることによって、点灯モードを再び揃えることができる。
【０００８】
制御部は、第１光源部が消灯中に第２信号を受信部を介して受信すると、第２光源部を同期用点灯パターンで点灯させるようになっていても良い。
【０００９】
制御部は、第２光源部が点灯中に第１信号を受信部を介して受信すると、第２光源部を消灯させる一方、第１光源部を複数の点灯パターンのうちの最初の点灯パターンで点灯させるようになっていても良い。
【００１０】
制御部は、第１光源部を複数の点灯パターンのうちの最後の点灯パターンで点灯させているときに、第１信号を受信部を介して受信すると、第１光源部を消灯させ、第１光源部の消灯時に第１信号を受信部を介して受信すると、第１光源部を複数の点灯パターンのうちの最初の点灯パターンで点灯させるようになっていても良い。
【００１１】
制御部は、第２光源部の点灯中に第２信号を受信部を介して受信すると、第２光源部を消灯させるようになっていても良い。
【００１２】
本考案の別の態様の照明装置は、第１信号及び第１信号と異なる第２信号を受信可能な受信部と、複数の点灯パターン及び同期用点灯パターンで点灯可能な光源部と、制御部とを備えている。制御部は、第１信号を受信部を介して受信する度に、少なくとも光源部を複数の点灯パターンを順次切り替えて点灯させるようになっている。また、制御部は、光源部が複数の点灯パターンの何れかで点灯中に第２信号を受信部を介して受信すると、同期用点灯パターンで光源部を点灯させるようになっている。
【００１３】
このような態様の照明装置が複数あり、その複数の照明装置の光源部が複数の点灯パターンの何れか一つで点灯している場合において、複数の照明装置の制御部が第１信号を受信部を介して受信すると、複数の照明装置の制御部が光源部を複数の点灯パターンのうちの次の点灯パターンで点灯させるが、複数の照明装置のうちの少なくとも一つの照明装置の制御部が第１信号を受信できなかった場合、少なくとも一つの照明装置の光源部の点灯パターン（複数の点灯パターンのうちの一つ）と残りの照明装置の光源部の点灯パターン（複数の点灯パターンのうちの別の一つ）とが相違することになる。しかし、複数の照明装置の制御部は、光源部が複数の点灯パターンの何れかで点灯中に第２信号を受信部を介して受信すると、光源部を同期用点灯パターンで点灯させることによって、点灯モードを再び揃えることができる。
【００１４】
制御部は、光源部が消灯中に第２信号を受信部を介して受信すると、光源部を同期用点灯パターンで点灯させるようになっていても良い。
【００１５】
制御部は、光源部が同期用点灯パターンで点灯中に、第１信号を受信部を介して受信すると、光源部を複数の点灯パターンのうちの最初の点灯パターンで点灯させるようになっていても良い。
【００１６】
制御部は、光源部を複数の点灯パターンのうちの最後の点灯パターンで点灯させているときに、第１信号を受信部を介して受信すると、光源部を消灯し、光源部の消灯時に第１信号を受信部を介して受信すると、光源部を複数の点灯パターンのうちの最初の点灯パターンで点灯させるようになっていると良い。
【００１７】
制御部は、光源部が同期用点灯パターンで点灯中に、第２信号を受信部を介して受信すると、光源部を消灯させるようになっていると良い。
【００１８】
本考案の一態様の照明リモートコントロールシステムは、上記した何れかの態様の複数の照明装置を備えている。複数の照明装置の複数の点灯パターンは共通している。複数の点灯パターンの切り替え順が同じである。
【００１９】
複数の照明装置のうちの少なくとも一つの照明装置の第１光源部が複数の点灯パターンのうちの何れか一つの点灯パターンで点灯する一方、残りの照明装置の第１光源部が複数の点灯パターンのうちの一つの点灯パターンと異なる点灯パターンで点灯している場合において、複数の照明装置の制御部が、第２信号を受信部を介して受信すると、第１光源部を消灯させる一方、第２光源部を点灯させるようになっていると良い。
【００２０】
複数の照明装置のうちの少なくとも一つの照明装置の第１光源部が消灯しており、残りの照明装置の第１光源部が複数の点灯パターンの何れかで点灯している場合において、少なくとも一つの照明装置の制御部が、第２信号を受信部を介して受信すると、第２光源部を点灯させるようになっており、残りの照明装置の制御部が、第２信号を受信部を介して受信すると、第１光源部を消灯させる一方、第２光源部を点灯させるようになっていると良い。
【００２１】
複数の照明装置のうちの少なくとも一つの照明装置の光源部が複数の点灯パターンのうちの何れか一つの点灯パターンで点灯する一方、残りの照明装置の光源部が複数の点灯パターンのうちの一つの点灯パターンと異なる点灯パターンで点灯している場合において、複数の照明装置の制御部が、第２信号を受信部を介して受信すると、光源部を同期用点灯パターンで点灯させるようになっていると良い。
【００２２】
複数の照明装置のうちの少なくとも一つの照明装置の光源部が消灯する一方、残りの照明装置の光源部が複数の点灯パターンの何れかで点灯している場合において、少なくとも一つの照明装置の制御部が、第２信号を受信部を介して受信すると、光源部を同期用点灯パターンで点灯させるようになっており、残りの照明装置の制御部が、第２信号を受信部を介して受信すると、光源部を同期用点灯パターンで点灯させるようになっていると良い。
【００２３】
照明リモートコントロールシステムは、第１操作部及び第２操作部を有するリモコンを更に備えている。リモコンは、第１操作部が入力操作されることによって第１信号を複数の照明装置に送信し、第２操作部が入力操作されることによって第２信号を複数の照明装置に送信するようになっている。
【図面の簡単な説明】
【００２４】
【図１】本考案の実施例１に係る照明リモートコントロールシステムの説明図である。
【図２】前記照明リモートコントロールシステムの照明装置の制御部により処理されるプログラムのフローチャートである。
【図３】本考案の実施例２に係る照明リモートコントロールシステムの説明図である。
【図４】前記照明リモートコントロールシステムの照明装置の制御部により処理されるプログラムのフローチャートである。
【考案を実施するための形態】
【００２５】
以下、本考案の実施例１及びその設計変形例について説明する。なお、後述する実施例及び設計変更例の各構成要素は、互いに矛盾しない限り、相互に組み合わせることが可能であることに留意されたい。また、後述する実施例の各態様及び設計変形例における各構成要素を構成する素材、形状、寸法、数及び配置等はその一例を説明したものであって、同様の機能を実現し得る限り任意に設計変更することが可能である。
【実施例１】
【００２６】
以下、本考案の実施例１に係る照明リモートコントロールシステム（以下、単にシステムともいう）について図１を参照しつつ説明する。このシステムは、操作用のリモートコントロール装置１０（以下、リモコン装置１０とも称する。）と、複数の照明装置１００とを備えている。なお、図１では、３つの照明装置１００が例示されているが、これに限定されるものではない。
【００２７】
リモコン装置１０は、第１操作部１０ａと、第２操作部１０ｂと、信号出力部１１と、図示しない制御部とを有している。第１操作部１０ａ及び第２操作部１０ｂは、タクタイルスイッチなどの押下スイッチやタッチスイッチ等である。第１操作部１０ａが操作入力されると、第１操作部１０ａから制御部に第１操作信号が出力される。第２操作部１０ｂが操作入力されると、第２操作部１０ｂから制御部に第２操作信号が出力される。信号出力部１１は赤外線発光素子であって、赤外線の点灯時間と消灯時間の長さの組み合わせによりビット値が表されるパルス位相変調信号（ＰＰＭ信号）を出力可能になっている。制御部は、ＩＣ等の論理回路、又はプロセッサで処理されるソフトウエアで構成されている。制御部は、第１操作信号の入力に応じて、信号出力部１１を制御し、信号出力部１１に第１ビット値を示すＰＰＭ信号である第１信号Ｓ１を出力させ、且つ、第２操作信号の入力に応じて、信号出力部１１を制御し、信号出力部１１に第１信号Ｓ１とは異なる第２ビット値を示すＰＰＭ信号である第２信号Ｓ２を出力させるようになっている。
【００２８】
複数の照明装置１００は、同一の構成であって、受信部１１０と、制御部１２０と、第１光源部１３０と、第２光源部１４０と、図示しない電源部とを備えている。
【００２９】
受信部１１０は、第１信号Ｓ１及び第２信号Ｓ２を受光し、第１信号Ｓ１及び第２信号Ｓ２に応じて電気信号を制御部１２０に出力する受光素子である。以下、説明の便宜上、受信部１１０が、第１信号Ｓ１を受光し、第１信号Ｓ１に応じて制御部１２０に出力する電子信号を第１受信信号といい、第２信号Ｓ２を受光し、第２信号Ｓ２に応じて制御部１２０に出力する電子信号を第２受信信号という。
【００３０】
第１光源部１３０は、一又は複数の発光ダイオード（ＬＥＤ）で構成されている。第２光源部１４０は、一又は複数の発光ダイオード（ＬＥＤ）で構成されている。電源部から電力が、受信部１１０、制御部１２０、第１光源部１３０及び第２光源部１４０に供給されている。
【００３１】
制御部１２０は、ＩＣ等の論理回路、又はプロセッサで処理されるソフトウエアで構成されている。制御部１２０は、第１受信信号が入力される度に、第１光源部１３０を複数の点灯パターンを順次切り替えて点灯させるようになっている。例えば、制御部１２０は、ＰＷＭ制御回路又はＰＷＭ制御用のソフトウエアを備えており、第１受信信号が入力される度に、ＰＷＭ信号のデューティ比を順次変更し、当該ＰＷＭ信号を第１光源部１３０の一又は複数の発光ダイオードに対して出力して点灯させるようになっている。第１光源部１３０の一又は複数の発光ダイオードに対するＰＷＭ信号のデューティ比に関する情報及びＰＷＭ信号のデューティ比を変化させる順序に関する情報は制御部１２０内のメモリに記録されており、制御部１２０によって第１受信信号が入力される度に参照される。第１光源部１３０の一又は複数の発光ダイオードは、その輝度がＰＷＭ信号のデューティ比に応じて変化する。このように第１光源部１３０の一又は複数の発光ダイオードの輝度の変化によって、第１光源部１３０の複数の点灯パターンが順次切り替えられている。なお、第１光源部１３０の発光ダイオードが複数である場合、各発光ダイオードに対するＰＷＭ信号のデューティ比は同じであっても良いし、異なっていても良い。
【００３２】
制御部１２０は、第１光源部１３０が点灯中に第２受信信号が入力されると、第１光源部１３０を消灯させる（第１光源部１３０に対するＰＷＭ信号の出力をオフにする）一方、第２光源部１４０を同期用点灯パターンで点灯させるようになっている。また、制御部１２０は、第１光源部１３０が消灯中に第２受信信号が入力されると、第２光源部１４０を同期用点灯パターンで点灯させるようになっている。何れの場合、制御部１２０は、第２光源部１４０の一又は複数の発光ダイオードに対して同期用点灯パターンに対応する所定のデューティ比を有するＰＷＭ信号を出力して点灯させるようになっていると良い。この所定のデューティ比に関する情報も制御部１２０内のメモリに記録されており、制御部１２０によって第２受信信号が入力される度に参照される。第２光源部１４０の発光ダイオードが複数である場合、各発光ダイオードに対するＰＷＭ信号のデューティ比は同じであっても良いし、異なっていても良い。
【００３３】
複数の照明装置１００の第１光源部１３０の複数の点灯パターンは共通しており、複数の点灯パターンの切り替え順も同じである。複数の照明装置１００の第２光源部１４０の同期用点灯パターンは共通している。第２光源部１４０の同期用点灯パターン（第２光源部１４０の一又は複数の発光ダイオードに対するＰＷＭ信号のデューティ比）は、第１光源部１３０の複数の点灯パターン（各パターンにおける第１光源部１３０の一又は複数の発光ダイオードに対するＰＷＭ信号のデューティ比）と異なっていても良いし、第１光源部１３０の複数の点灯パターンのうちの何れか一つ（何れか一つの点灯パターンにおける第１光源部１３０の一又は複数の発光ダイオードに対するＰＷＭ信号のデューティ比）と同じであっても良い。本実施例１では、第２光源部１４０の点灯パターンは、第１光源部１３０の複数の点灯パターンと相違しており、第２光源部１４０の発光ダイオードが複数であり、各発光ダイオードが異なるデューティ比を有するＰＷＭ信号で点灯制御され、各発光ダイオードの輝度及び／又は点滅間隔が異なることによって、第２光源部１４０が、炎が揺らめくような点灯パターンで点灯をするようになっている。
【００３４】
制御部１２０は、第１光源部１３０を複数の点灯パターンのうちの最後の点灯パターンで点灯させているときに、第１受信信号が入力されると、第１光源部１３０を消灯させる（第１光源部１３０に対するＰＷＭ信号の出力をオフにする）ようになっていても良い。また、制御部１２０は、第１光源部１３０の消灯時に第１受信信号が入力されると、上記メモリ内の情報を参照して第１光源部１３０を複数の点灯パターンのうちの最初の点灯パターンで点灯させるようになっているになっていても良い。
【００３５】
制御部１２０は、第２光源部１４０の点灯中に第２受信信号が入力されると、第２光源部１４０を消灯させる（第２光源部１４０に対するＰＷＭ信号の出力をオフにする）ようになっていても良い。
【００３６】
以下、各照明装置１００の制御部１２０によって処理される制御プログラムの一例について図２を参照しつつ詳しく説明する。図２には、制御プログラムのフローチャートが示されている。ここでは、説明の便宜上、第１光源部１３０の複数の点灯パターンは、第１点灯パターン（最初の点灯パターン）及びこれよりも輝度が高い第２点灯パターン（最後の点灯パターン）であるとするが、これに限定されるものではない。
【００３７】
第１受信信号が制御部１２０に入力されると（Ｓ１）、制御部１２０によって、その内部カウンタが「１」にカウントされる。これが、ＰＷＭ信号のデューティ比を変化させる順序に関する情報となる。制御部１２０は、内部カウンタ「１」を参照して第２点灯パターンで第１光源部１３０が点灯していないと判断し（Ｓ２）、内部カウンタの「１」に応じて、メモリ内の第１点灯パターンに対応するＰＷＭ信号のデューティ比に関する情報を参照し、当該情報に基づいて第１点灯パターンに対応するデューティ比でＰＷＭ信号を生成し、当該ＰＷＭ信号を第１光源部１３０の一又は複数の発光ダイオードに対して出力して第１点灯パターンで点灯させる（Ｓ３）。
【００３８】
その後、制御部１２０は、第２受信信号が入力されたか否かについて判断する（Ｓ４）。その結果、第２受信信号が入力されなかったと判断した場合には、制御部１２０は、Ｓ１の処理に戻る。Ｓ１において、第１受信信号が制御部１２０に入力されると、制御部１２０によって、内部カウンタが「２」にカウントされる。制御部１２０は、内部カウンタ「２」を参照して第２点灯パターンで第１光源部１３０が点灯していないと判断し（Ｓ２）、内部カウンタの「２」に応じて、メモリ内の第２点灯パターンに対応するＰＷＭ信号のデューティ比に関する情報を参照し、当該情報に基づいて第２点灯パターンに対応するデューティ比（第１点灯パターンに対応するデューティ比とは異なるデューティ比）でＰＷＭ信号を生成し、当該ＰＷＭ信号を第１光源部１３０の一又は複数の発光ダイオードに対して出力して第２点灯パターンで点灯させる（Ｓ３）。その後、Ｓ４において、第２受信信号が入力されなかったと判断した場合には、制御部１２０は、Ｓ１の処理に戻る。Ｓ１において、第１受信信号が制御部１２０に入力されると、制御部１２０によって、内部カウンタが「３」にカウントされる。制御部１２０は、内部カウンタ「３」を参照して第２点灯パターンで第１光源部１３０が点灯中であると判断し（Ｓ２）、第１光源部１３０を消灯し（Ｓ５）、内部カウンタをリセットにしてＳ１の処理に戻る。以上のようにして、第１受信信号が入力される度（すなわち、第１信号Ｓ１を受信する度）に、第１光源部１３０の第１灯光パターンでの点灯、第１光源部１３０の第２灯光パターンでの点灯、及び第１光源部１３０の消灯が順次繰り返される。
【００３９】
Ｓ４において（第１光源部１３０の第１又は第２灯光パターンでの点灯中において）、第２受信信号が入力されたと判断した場合、制御部１２０は、第１光源部１３０を消灯する（Ｓ６）一方、内部メモリを参照して同期用点灯パターンに対応する所定のデューティ比でＰＷＭ信号を生成し、当該ＰＷＭ信号を第２光源部１４０の一又は複数の発光ダイオードに対して出力して同期用点灯パターンで点灯させる（Ｓ７）。
【００４０】
その後、制御部１２０は、第２受信信号が入力されたか否かについて判断する（Ｓ８）。その結果、第２受信信号が入力されたと判断した場合には、第２光源部１４０を消灯し（Ｓ９）、内部カウンタをリセットにしてＳ１の処理に戻る。一方、第２受信信号が入力されなかったと判断した場合には、第２光源部１４０の同期用点灯パターンの点灯が継続される。そして、第１受信信号が入力されたか否かについて判断する（Ｓ１０）。その結果、第１受信信号が入力されたと判断した場合には、内部カウンタをリセットにし、内部カウンタを「１」にカウントしてＳ２の処理に戻る。このように第２光源部１４０の点灯中に、第１受信信号が制御部１２０に入力されると（Ｓ１０）、内部カウンタ「１」に基づいて第１光源部１３０が第１点灯パターンで点灯する（Ｓ３）。
【００４１】
Ｓ１において、第１受信信号が制御部１２０に入力されない場合に、第２受信信号が入力されると（Ｓ１１）、制御部１２０は、内部カウンタを参照して第１光源部１３０が点灯中であるか否かについて判断を行う（Ｓ１２）。その結果、内部カウンタが「１」又は「２」であり、第１光源部１３０が点灯中であると判断した場合、制御部１２０は、Ｓ６の処理に移行する。一方、内部カウンタが「３」であり、第１光源部１３０が点灯中でないと判断した場合、制御部１２０は、Ｓ７の処理に移行する。Ｓ１において、第１受信信号が制御部１２０に入力されず、且つ、第２受信信号が入力されない場合（Ｓ１１）、制御部１２０は、Ｓ１の処理に戻る。
【００４２】
以下、上記した構成の照明リモートコントロールシステムの使用方法について説明する。リモコン装置１０の第１操作部１０ａが操作されると、リモコン装置１０から第１信号Ｓ１が出力される。複数の照明装置１００は、受信部１１０を介して第１信号Ｓ１を受信すると、複数の照明装置１００の第１光源部１３０が第１灯光パターンで点灯する。再度リモコン装置１０の第１操作部１０ａが操作されると、リモコン装置１０から第１信号Ｓ１が出力される。複数の照明装置１００は、受信部１１０を介して第１信号Ｓ１を受信すると、複数の照明装置１００の第１光源部１３０が第２灯光パターンで点灯する。再度リモコン装置１０の第１操作部１０ａが操作されると、リモコン装置１０から第１信号Ｓ１が出力される。複数の照明装置１００は、受信部１１０を介して第１信号Ｓ１を受光すると、複数の照明装置１００の第１光源部１３０が消灯する。このようにリモコン装置１０の第１操作部１０ａが操作される度に、複数の照明装置１００は、第１光源部１３０の第１灯光パターンでの点灯、第１光源部１３０の第２灯光パターンでの点灯、及び第１光源部１３０の消灯を同期して順次繰り返す。
【００４３】
仮に、複数の照明装置１００のうちの少なくとも一つの照明装置１００が、第１信号Ｓ１の受信に失敗し、少なくとも一つの照明装置１００の第１光源部１３０が第１点灯パターンで点灯する一方、残りの照明装置１００の第１光源部１３０が第２点灯パターンで点灯する場合がある。
【００４４】
しかし、複数の照明装置１００の第１光源部１３０が点灯中において、リモコン装置１０の第２操作部１０ｂが操作され、リモコン装置１０から第２信号Ｓ２が出力されると、複数の照明装置１００は、受信部１１０を介して第２信号Ｓ２を受信し、複数の照明装置１００の第１光源部１３０を消灯させる一方、第２光源部１４０を同期用点灯パターンで点灯させる。これにより、複数の照明装置１００の点灯パターンを第２光源部１４０の同期用点灯パターンで揃えることができる。その後、リモコン装置１０の第１操作部１０ａが操作され、リモコン装置１０から第１信号Ｓ１が出力される度に、複数の照明装置１００の第１光源部１３０を第１、第２点灯パターンで順次同期して点灯させることができる。
【００４５】
また、仮に、複数の照明装置１００のうちの少なくとも一つの照明装置１００が、第１信号Ｓ１の受信に失敗し、少なくとも一つの照明装置１００の第１光源部１３０が消灯し、残りの照明装置１００の第１光源部１３０が第１又は第２点灯パターンで点灯する場合がある。
【００４６】
しかし、残りの照明装置１００の第１光源部１３０が点灯中且つ少なくとも一つの照明装置１００の第１光源部１３０が消灯中において、リモコン装置１０の第２操作部１０ｂが操作され、リモコン装置１０から第２信号Ｓ２が出力されると、残りの照明装置１００は、受信部１１０を介して第２信号Ｓ２を受信し、残りの照明装置１００の第１光源部１３０を消灯させる一方、第２光源部１４０を同期用点灯パターンで点灯させ、且つ、少なくとも一つの照明装置１００は、受信部１１０を介して第２信号Ｓ２を受信し、少なくとも一つの照明装置１００の第２光源部１４０を同期用点灯パターンで点灯させる。これにより、複数の照明装置１００の点灯パターンを第２光源部１４０の同期用点灯パターンで揃えることができる。その後、リモコン装置１０の第１操作部１０ａが操作され、リモコン装置１０から第１信号Ｓ１が出力される度に、複数の照明装置１００の第１光源部１３０を第１、第２点灯パターンで順次同期して点灯させることができる。
【実施例２】
【００４７】
以下、本考案の実施例２に係る照明リモートコントロールシステム（以下、単にシステムともいう）について図３を参照しつつ説明する。この実施例２のシステムは、複数の照明装置１００’の制御部１２０’の構成が、実施例１の複数の照明装置１００の制御部１２０の構成と相違し、且つ複数の照明装置１００’が第２光源部１４０を備えていない点で、実施例１のシステムと相違する。以下、その相違点についてのみ詳しく説明し、実施例２のシステムの説明のうち、実施例１のシステムの説明と重複する説明については省略する。なお、図３でも、３つの照明装置１００’が例示されているが、これに限定されるものではない。
【００４８】
制御部１２０’は、ＩＣ等の論理回路、又はプロセッサで処理されるソフトウエアで構成されている。制御部１２０’は、制御部１２０と同様に、第１受信信号が入力される度に、第１光源部１３０を複数の点灯パターンを順次切り替えて点灯させるようになっている。複数の照明装置１００’の第１光源部１３０の複数の点灯パターンは共通しており、複数の点灯パターンの切り替え順も同じである。
【００４９】
また、制御部１２０’は、第１光源部１３０が複数の点灯パターンの何れかで点灯中に第２受信信号が入力されると、第１光源部１３０を同期用点灯パターンで点灯させるようになっている。また、制御部１２０’は、第１光源部１３０が消灯中に第２受信信号が入力されると、第１光源部１３０を同期用点灯パターンで点灯させるようになっている。何れの場合も、制御部１２０’は、第１光源部１３０の一又は複数の発光ダイオードに対して同期用点灯パターンに対応する所定のデューティ比を有するＰＷＭ信号を出力して点灯させるようになっていると良い。第１光源部１３０の同期用点灯パターン（これに対するＰＷＭ信号のデューティ比）は、第１光源部１３０の複数の点灯パターン（各パターンにおける発光ダイオードに対するＰＷＭ信号のデューティ比）と異なっていても良いし、第１光源部１３０の複数の点灯パターンのうちの何れか一つ（何れか一つの点灯パターンにおける第１光源部１３０の一又は複数の発光ダイオードに対するＰＷＭ信号のデューティ比）と同じであっても良い。第１光源部１３０の発光ダイオードが複数である場合、各発光ダイオードに対する同期用点灯パターンに対応するＰＷＭ信号のデューティ比は同じであっても良いし、異なっていても良い。複数の照明装置１００’の第１光源部１３０の同期用点灯パターンは共通している。
【００５０】
また、制御部１２０’は、第１光源部１３０が同期用点灯パターンで点灯中に第１受信信号が入力されると、制御部１２０’のメモリ内の情報を参照して第１光源部１３０を複数の点灯パターンのうちの最初の点灯パターンで点灯させるようになっているになっていても良い。制御部１２０’は、第１光源部１３０が同期用点灯パターンで点灯中に第２受信信号が入力されると、第１光源部１３０を消灯させる（第１光源部１３０に対するＰＷＭ信号の出力をオフにする）ようになっていても良い。
【００５１】
制御部１２０’は、第１光源部１３０を複数の点灯パターンのうちの最後の点灯パターンで点灯させているときに、第１受信信号が入力されると、第１光源部１３０を消灯させる（第１光源部１３０に対するＰＷＭ信号の出力をオフにする）ようになっていても良い。また、制御部１２０’は、第１光源部１３０の消灯時に第１受信信号が入力されると、制御部１２０’のメモリ内の情報を参照して第１光源部１３０を複数の点灯パターンのうちの最初の点灯パターンで点灯させるようになっているになっていても良い。
【００５２】
以下、各照明装置１００’の制御部１２０’によって処理される制御プログラムの一例について図４を参照しつつ詳しく説明する。図４には、制御プログラムのフローチャートが示されている。ここでも、説明の便宜上、第１光源部１３０の複数の点灯パターンは、第１点灯パターン（最初の点灯パターン）及びこれよりも輝度が高い第２点灯パターン（最後の点灯パターン）であるとするが、これに限定されるものではない。
【００５３】
図４の制御プログラムのＳ１〜Ｓ５は、図２の制御プログラムのＳ１〜Ｓ５と同じであるため、その説明は省略する。
【００５４】
Ｓ４において（第１光源部１３０の第１又は第２灯光パターンでの点灯中において）、制御部１２０’が、第２受信信号が入力されたと判断した場合、内部メモリを参照して同期用点灯パターンに対応するデューティ比でＰＷＭ信号を生成し、当該ＰＷＭ信号を第１光源部１３０の一又は複数の発光ダイオードに対して出力して同期用点灯パターンで点灯させる（Ｓ６）。
【００５５】
その後、制御部１２０’は、第２受信信号が入力されたか否かについて判断する（Ｓ７）。その結果、第２受信信号が入力されたと判断した場合には、制御部１２０’は、内部カウンタをリセットにして第１光源部１３０を消灯し（Ｓ８）、Ｓ１の処理に戻る。一方、第２受信信号が入力されなかったと判断した場合には、第１光源部１３０の同期用点灯パターンでの点灯が継続される。そして、制御部１２０’が、第１受信信号が入力されたか否かについて判断する（Ｓ９）。その結果、第１受信信号が入力されたと判断した場合には、制御部１２０’は、内部カウンタをリセットにし、内部カウンタを「１」カウントしてＳ２の処理に戻る。このように第１光源部１３０の同期用点灯パターンでの点灯中に、第１受信信号が制御部１２０’に入力されると（Ｓ９）、制御部１２０’は、内部カウンタ「１」に基づいて第１光源部１３０が第１点灯パターンで点灯する（Ｓ３）。
【００５６】
Ｓ１において、第１受信信号が制御部１２０’に入力されない場合、第２受信信号が入力されると（Ｓ１０）、制御部１２０’は、Ｓ６の処理に移行する。換言すると、第１光源部１３０が第１又は第２点灯パターンで点灯中において、第２受信信号が入力されると（Ｓ１０）、制御部１２０’は、第１光源部１３０を同期用点灯パターンで点灯させる（Ｓ６）。第１光源部１３０が消灯中において、第２受信信号が入力されると（Ｓ１０）、制御部１２０’は、第１光源部１３０を同期用点灯パターンで点灯させる（Ｓ６）。Ｓ１において、第１受信信号が制御部１２０’に入力されず、且つ、第２受信信号が入力されない場合（Ｓ１０）、制御部１２０’はＳ１の処理に戻る。
【００５７】
以下、上記した構成の照明リモートコントロールシステムの使用方法について説明する。このシステムは、実施例１の照明リモートコントロールシステムと同様に、リモコン装置１０の第１操作部１０ａが操作される度に、複数の照明装置１００’は、第１光源部１３０の第１灯光パターンでの点灯、第１光源部１３０の第２灯光パターンでの点灯、及び第１光源部１３０の消灯を同期して順次繰り返す。
【００５８】
仮に、複数の照明装置１００’のうちの少なくとも一つの照明装置１００’が、第１信号Ｓ１の受信に失敗し、少なくとも一つの照明装置１００’の第１光源部１３０が第１点灯パターンで点灯する一方、残りの照明装置１００’の第１光源部１３０が第２点灯パターンで点灯する場合がある。
【００５９】
しかし、複数の照明装置１００’の第１光源部１３０が点灯中において、リモコン装置１０の第２操作部１０ｂが操作され、リモコン装置１０から第２信号Ｓ２が出力されると、複数の照明装置１００’は、受信部１１０を介して第２信号Ｓ２を受信し、複数の照明装置１００’の第１光源部１３０を同期用点灯パターンで点灯させる。これにより、複数の照明装置１００’の点灯パターンを第１光源部１３０の同期用点灯パターンで揃えることができる。その後、リモコン装置１０の第１操作部１０ａが操作され、リモコン装置１０から第１信号Ｓ１が出力される度に、複数の照明装置１００’の第１光源部１３０を第１、第２点灯パターンで順次同期して点灯させることができる。
【００６０】
また、仮に、複数の照明装置１００’のうちの少なくとも一つの照明装置１００’が、第１信号Ｓ１の受信に失敗し、少なくとも一つの照明装置１００’の第１光源部１３０が消灯し、残りの照明装置１００’の第１光源部１３０が第１又は第２点灯パターンで点灯する場合がある。
【００６１】
しかし、残りの照明装置１００’の第１光源部１３０が点灯中且つ少なくとも一つの照明装置１００’の第１光源部１３０が消灯中において、リモコン装置１０の第２操作部１０ｂが操作され、リモコン装置１０から第２信号Ｓ２が出力されると、残りの照明装置１００’は、受信部１１０を介して第２信号Ｓ２を受信し、残りの照明装置１００’の第１光源部１３０を同期用点灯パターンで点灯させ、且つ、少なくとも一つの照明装置１００’は、受信部１１０を介して第２信号Ｓ２を受信し、少なくとも一つの照明装置１００’の第１光源部１３０を同期用点灯パターンで点灯させる。これにより、複数の照明装置１００’の点灯パターンを第１光源部１３０の同期用点灯パターンで揃えることができる。その後、リモコン装置１０の第１操作部１０ａが操作され、リモコン装置１０から第１信号Ｓ１が出力される度に、複数の照明装置１００’の第１光源部１３０を第１、第２点灯パターンで順次同期して点灯させることができる。
【００６２】
なお、上記したシステム及び照明装置１００は、上記実施例に限定されるものではなく、実用新案登録請求の範囲の記載範囲において任意に設計変更することが可能である。以下、詳しく述べる。
【００６３】
本考案では、リモコン装置が第３操作部を更に備えており、第３操作部が操作されることによって、複数の照明装置の点灯中の第１光源部及び／又は点灯中の第２光源部が消灯される構成とすることが可能である。又は、複数の照明装置に第３操作部が設けられており、この第３操作部が操作されることによって、複数の照明装置の点灯中の第１光源部及び／又は点灯中の第２光源部が消灯される構成とすることが可能である。なお、本考案の点灯パターンは、輝度の相違に限定されず、ＰＷＭ信号のデューティ比の相違などによって、第１光源部及び／又は点灯中の第２光源部の点滅パターンの相違によって設定されていても良いし、点滅パターンの相違と輝度の相違の組み合わせによって設定されていても良い。
【符号の説明】
【００６４】
１０：リモートコントロール装置（リモコン装置）
１０ａ：第１操作部
１０ｂ：第２操作部
１１：信号出力部
１００、１００’：照明装置
１１０：受信部
１２０、１２０’：制御部
１３０：第１光源部
１４０：第２光源部
Ｓ１：第１信号
Ｓ２：第２信号
【図１】
0003223902.tif 000003
【図２】
0003223902.tif 000004
【図３】
0003223902.tif 000005
【図４】
0003223902.tif 000006